【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】  水溶液の分光吸収曲線における６６０ｎｍから６８０ｎｍに至る吸収帯内の最大吸光度ｂと、６００ｎｍから６４０ｎｍに至る吸収帯内の最大吸光度ａとの吸光度比ｂ／ａが１未満であって、かつ下記一般式（Ｉ）で表される水溶性フタロシアニン化合物を含有し、該フタロシアニン化合物の酸化電位が、１．０ｅＶ（ｖｓＳＣＥ）よりも貴であることを特徴とする着色組成物。
【化１】
2002309118.tif 000001
（式中、Ｒ1、Ｒ2、Ｒ3、Ｒ4、Ｒ5、Ｒ6、Ｒ7、及びＲ8はそれぞれ独立に、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、スルフィニル基、ホスホリル基、またはアシル基を表し、各々はさらに置換基を有していてもよい。Ｗ1、Ｗ2、Ｗ3、Ｗ4は、それぞれ独立に、上記Ｒ1、Ｒ2、Ｒ3、Ｒ4、Ｒ5、Ｒ6、Ｒ7、及びＲ8がそれぞれ表す各基あるいはスルホニルスルファモイル基又はアシルスルファモイル基を表し、各々はさらに置換基を有していてもよい。但し、Ｗ1、Ｗ2、Ｗ3、Ｗ4の少なくとも１つは、ハメットの置換基定数σｐ値が０．２０以上の電子吸引性基であり、且つ、Ｗ1、Ｗ2、Ｗ3、Ｗ4の少なくとも１つは、それ自体がイオン性親水性基であるか、又はイオン性親水性基を置換基として有する。ｌ、ｍ、ｎ、ｐは、１または２の整数を表す。Ｍは、水素原子、金属元素またはその酸化物、水酸化物もしくはハロゲン化物を表す。）
【請求項２】 一般式（I）で表されるフタロシアニン化合物が、下記一般式（II）で表されるフタロシアニン化合物である請求項１に記載の着色組成物。
【化２】
2002309118.tif 000002
（式（II）中、Ｗ1、Ｗ2、Ｗ3、Ｗ4は、それぞれ独立にハメットの置換基定数σｐ値が０．２０以上の電子吸引性基を表す。但し、Ｗ1、Ｗ2、Ｗ3、Ｗ4の少なくとも１つは、それ自体がイオン性親水性基であるか、又はイオン性親水性基を置換基として有する。ｌ、ｍ、ｎ、ｐ及びＭは、それぞれ前記一般式（I）におけるｌ、ｍ、ｎ、ｐ及びＭと同義である。）
【請求項３】 一般式（II）で表されるフタロシアニン化合物が、下記一般式（III）で表されるフタロシアニン化合物である請求項１または２に記載の着色組成物。
【化３】
2002309118.tif 000003
（式（III）中、Ｗ1、Ｗ2、Ｗ3、Ｗ4は、それぞれ独立に、−ＳＯ−Ｚ及び／または−ＳＯ2−Ｚ及び／または−ＳＯ2ＮＹ1Ｙ2及び／または−ＳＯ2ＮＹ3ＳＯ2Ｙ2及び／または−ＳＯ2ＮＹ3ＣＯＹ2を表す。Ｚはそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。Ｙ1はそれぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表し、Ｙ2はそれぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。Ｙ3はそれぞれ独立に、水素原子、リチウム、ナトリウム、カリウム、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。ｌ、ｍ、ｎ、ｐ及びＭは、それぞれ前記一般式（II）におけるｌ、ｍ、ｎ、ｐ及びＭと同義である。但し、一般式（III）で表されるフタロシアニン化合物は、一分子中にイオン性親水性基を少なくとも４個以上有する。）
【請求項４】  請求項１〜３のいずれかに記載の着色組成物を含有することを特徴とするインクジェット用インク。
【請求項５】  支持体上に白色無機顔料粒子を含有するインク受像層を有する受像材料上に、請求項４に記載のインクジェット用インクを用いて画像形成することを特徴とするインクジェット記録方法。
【請求項６】  請求項４に記載のインクジェット用インクを用いて画像を形成することを特徴とする画像記録物のオゾンガス褪色耐性の改良方法。
【手続補正２】
【補正対象書類名】明細書
【補正対象項目名】００２８
【補正方法】変更
【補正の内容】
【００２８】
１．水溶液の分光吸収曲線における６６０ｎｍから６８０ｎｍに至る吸収帯内の最大吸光度ｂと、６００ｎｍから６４０ｎｍに至る吸収帯内の最大吸光度ａとの吸光度比ｂ／ａが１未満であって、かつ下記一般式（Ｉ）で表される水溶性フタロシアニン化合物を含有し、該フタロシアニン化合物の酸化電位が、１．０ｅＶ（ｖｓＳＣＥ）よりも貴であることを特徴とする着色組成物。
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】変更
【補正の内容】
【００３２】
２．一般式（I）で表されるフタロシアニン化合物が、下記一般式（II）で表されるフタロシアニン化合物である上記１に記載の着色組成物。
【手続補正５】
【補正対象書類名】明細書
【補正対象項目名】００３５
【補正方法】変更
【補正の内容】
【００３５】
３．一般式（II）で表されるフタロシアニン化合物が、下記一般式（III）で表されるフタロシアニン化合物である上記１または２に記載の着色組成物。
【手続補正６】
【補正対象書類名】明細書
【補正対象項目名】００３８
【補正方法】変更
【補正の内容】
【００３８】
４．水溶性フタロシアニン化合物が、水溶液の分光吸収曲線における６６０ｎｍから６８０ｎｍに至る吸収帯内の最大吸光度ｂと、６００ｎｍから６４０ｎｍに至る吸収帯内の最大吸光度ａとの吸光度比ｂ／ａが０．８未満であって、かつ一般式（III）で表される水溶性フタロシアニン化合物であることを特徴とする上記３に記載の着色組成物。
【手続補正７】
【補正対象書類名】明細書
【補正対象項目名】００３９
【補正方法】変更
【補正の内容】
【００３９】
５．一般式（III）で表されるフタロシアニン化合物において、フタロシアニン化合物の酸化電位が、１．１ｅＶ（ｖｓＳＣＥ）よりも貴であるフタロシアニン化合物であることを特徴とする上記３又は４に記載の着色組成物。
【手続補正８】
【補正対象書類名】明細書
【補正対象項目名】００４０
【補正方法】変更
【補正の内容】
【００４０】
６．上記１〜５項のいずれかに記載の着色組成物を含有することを特徴とするインクジェット用インク。
【手続補正９】
【補正対象書類名】明細書
【補正対象項目名】００４１
【補正方法】変更
【補正の内容】
【００４１】
７．一般式（III）で表されるフタロシアニン化合物において、イオン性親水性基が、カルボキシル基、スルホ基、４級アンモニウム基、スルホニルスルファモイル基およびアシルスルファモイル基から選択される基であることを特徴とする上記６に記載のインクジェット用インク。
【手続補正１０】
【補正対象書類名】明細書
【補正対象項目名】００４２
【補正方法】変更
【補正の内容】
【００４２】
８．支持体上に白色無機顔料粒子を含有するインク受像層を有する受像材料上に、上記６又は７に記載のインクジェット用インクを用いて画像形成することを特徴とするインクジェット記録方法。
【手続補正１１】
【補正対象書類名】明細書
【補正対象項目名】００４３
【補正方法】変更
【補正の内容】
【００４３】
９．上記６又は７のいずれかに記載のインクジェット用インクを用いて画像を形成することを特徴とする画像記録物のオゾンガス褪色耐性の改良方法。